(57)【要約】【課題】構造が簡単で、抗菌剤の長寿命化を図ることができる天井埋込型室内ユニットを提供する。【解決手段】筐体１の内部に収容される熱交換器５と、熱交換器５で生成されたドレン水が貯留されるドレンパン７とを備え、排水口４３は、ドレンパン７の角部に位置し、排水口４３には、排水部材５０が設けられ、排水部材５０には、抗菌剤の収納部材５６をドレンパン７の上面から所定間隔をもって保持する保持部材５４が一体に取り付けられている。【選択図】図６
2019148354.tif 000002
【特許請求の範囲】
【請求項１】
筐体の内部に収容される熱交換器と、前記熱交換器で生成されたドレン水が貯留されるドレンパンとを備え、前記ドレンパンに貯留されたドレン水は、排水口を介して外部に排水される天井埋込型室内ユニットにおいて、
前記排水口は、前記ドレンパンの角部に位置し、前記排水口には、排水部材が設けられ、前記排水部材には、抗菌剤の収納部材を前記ドレンパンの上面から所定距離をもって保持する保持部材が一体に取り付けられていることを特徴とする天井埋込型室内ユニット。
【請求項２】
前記排水部材は、前記ドレンパンの上面に配置される支持板と、前記支持板の先端部に上方に延在する支持ピンとを備え、
前記保持部材は、前記支持ピンの上端部に取り付けられていることを特徴とする請求項１に記載の天井埋込型室内ユニット。
【請求項３】
前記ドレンパンには、前記保持部材に保持された前記収納部材の一部を支持する支持部が形成されていることを特徴とする請求項１または請求項２に記載の天井埋込型室内ユニット。
【請求項４】
前記支持ピンは、前記排水口に対して前記筐体の中央側に配置されている。ことを特徴とする請求項１から請求項３のいずれか一項に記載の天井埋込型室内ユニット。
【発明の詳細な説明】
【技術分野】
【０００１】
本発明は、天井埋込型室内ユニットに関する。
【背景技術】
【０００２】
従来から、天井埋込型室内ユニットにおいて、熱交換器からのドレン水を受け止めるドレン収容部を備え、該ドレン収容部の最深部に、ドレン収容部内のドレン水を抜き取るための水抜き穴を形成し且つ該水抜き穴に、水抜き栓を着脱自在に設けてなるドレン排出装置において、前記ドレン収容部内であって前記水抜き栓の上方位置に、ドレン水に対して静菌作用を発揮する抗菌剤を有する抗菌剤ユニットを配置して、ドレン収容部のドレン水を抜き取るために、水抜き栓を取り外した時には、抗菌剤ユニットを取り出すことが可能となるようにした技術が開示されている（例えば、特許文献１参照）。
【０００３】
また、熱交換器と、その熱交換器の下方に設けられ、その熱交換器からのドレン水を溜めるためのドレンパンと、そのドレンパンの内側にねじ止め固定され、水溶性抗菌剤が収容され、そのドレンパンに溜まったドレン水が流出入可能な収容容器とを備え、収容容器は、ドレンパンの内側に固定される技術が開示されている（例えば、特許文献２参照）。
【先行技術文献】
【特許文献】
【０００４】
【特許文献１】特開２００６−１９４４９３号公報
【特許文献２】特開２００７−２０５６６８号公報
【発明の概要】
【発明が解決しようとする課題】
【０００５】
しかしながら、前記特許文献１の技術においては、抗菌剤ユニットがドレンポンプに取り付けられており、ドレンポンプの振動により、抗菌剤ユニットが振動し、騒音発生の原因となっていた。
また、特許文献２の技術においては、抗菌剤の収容容器が別途必要であり、部品点数の増加を招き、構造が複雑になってしまう問題がある。
さらに、いずれの技術においても、抗菌剤がドレン水に常に接触した状態に保持されているため、抗菌剤の寿命の低下を招いていた。
本発明は、前記した事情に鑑みてなされたものであり、構造が簡単で、抗菌剤の長寿命化を図ることができる天井埋込型室内ユニットを提供することを目的とするものである。
【課題を解決するための手段】
【０００６】
前記目的を達成するため、本発明は、筐体の内部に収容される熱交換器と、前記熱交換器で生成されたドレン水が貯留されるドレンパンとを備え、前記ドレンパンに貯留されたドレン水は、排水口を介して外部に排水される天井埋込型室内ユニットにおいて、前記排水口は、前記ドレンパンの角部に位置し、前記排水口には、排水部材が設けられ、前記排水部材には、抗菌剤の収納部材を前記ドレンパンの上面から所定距離をもって保持する保持部材が一体に取り付けられていることを特徴とする。
【０００７】
これによれば、排水口に設けられた排水部材により、収納部材を保持する保持部材を取り付けるようにしているので、収納部材をドレンパンの上面から所定距離だけ離れた位置に保持することができる。その結果、ドレンポンプによりドレンを排出している間は、収容部材による抗菌処理が行われず、所定量のドレンが貯留された場合に抗菌処理が行われることになり、効率のよい抗菌処理を行うことが可能となり、抗菌剤の長寿命化を図ることができる。
【発明の効果】
【０００８】
本発明の天井埋込型室内ユニットによれば、排水口に設けられた排水部材により、収納部材を保持する保持部材を取り付けるようにしているので、収納部材をドレンパンの上面から所定距離だけ離れた位置に保持することができる。その結果、ドレンポンプによりドレンを排出している間は、収容部材による抗菌処理が行われず、所定量のドレンが貯留された場合に抗菌処理が行われることになり、効率のよい抗菌処理を行うことが可能となり、抗菌剤の長寿命化を図ることができる。また、保持部材を排水部材と一体に形成したので、部品点数を低減させることができ、さらに、保持部材を排水部材を介してドレンパンに取り付けるので、ドレンポンプの振動が伝達されることがなく、騒音の防止を図ることができる。
【図面の簡単な説明】
【０００９】
【図１】本発明に係る天井埋込型室内ユニットを示す斜視図
【図２】本実施形態の天井埋込型室内ユニットの底面図
【図３】本実施形態の天井埋込型室内ユニットの化粧パネルを外した状態を示す底面図
【図４】本実施形態の天井埋込型室内ユニットの縦断面図
【図５】本実施形態のドレンパンの一部の断面図
【図６】本実施形態のドレンパンの一部の斜視図
【発明を実施するための形態】
【００１０】
第１の発明は、筐体の内部に収容される熱交換器と、前記熱交換器で生成されたドレン水が貯留されるドレンパンとを備え、前記ドレンパンに貯留されたドレン水は、排水口を介して外部に排水される天井埋込型室内ユニットにおいて、前記排水口は、前記ドレンパンの角部に位置し、前記排水口には、排水部材が設けられ、前記排水部材には、抗菌剤の収納部材を前記ドレンパンの上面から所定距離をもって保持する保持部材が一体に取り付けられている。
これによれば、排水口に設けられた排水部材により、収納部材を保持する保持部材を取り付けるようにしているので、収納部材をドレンパンの上面から所定距離だけ離れた位置に保持することができる。その結果、ドレンポンプによりドレンを排出している間は、収容部材による抗菌処理が行われず、所定量のドレンが貯留された場合に抗菌処理が行われることになり、効率のよい抗菌処理を行うことが可能となり、抗菌剤の長寿命化を図ることができる。また、保持部材を排水部材と一体に形成したので、部品点数を低減させることができ、さらに、保持部材を排水部材を介してドレンパンに取り付けるので、ドレンポンプの振動が伝達されることがなく、騒音の防止を図ることができる。
【００１１】
第２の発明は、前記排水部材は、前記ドレンパンの上面に配置される支持板と、前記支持板の先端部に上方に延在する支持ピンとを備え、前記保持部材は、前記支持ピンの上端部に取り付けられている。
これによれば、抗菌剤の収容部材を支持ピンの上端部に取り付けられた保持部材により保持しているので、ドレン水通路に所定量のドレンが貯留されるまで、ドレンと収容部材とが接触せず、効率のよい抗菌処理を行うことが可能となる。また、収容部材を支持ピンに取り付けているので構造が簡単であり、収容部材をドレン水通路から離れた位置に取り付けているので、メンテナンス作業のスペースを確保することができ、メンテナンス作業を容易に行うことができる。
【００１２】
第３の発明は、前記ドレンパンには、前記保持部材に保持された前記収納部材の一部を支持する支持部が形成されている。
これによれば、収納部材は、支持部により後端部が支持され、収納部材の位置決めを行うことができる。
【００１３】
第４の発明は、前記支持ピンは、前記排水口に対して前記筐体の中央側に配置されている。
これによれば、収納部材がドレンポンプおよびフロートスイッチと干渉してしまうことを防止することができる。
【００１４】
以下、本発明の一実施の形態を、図面を参照して説明する。
図１は、本発明の実施の形態に係る天井埋込型室内ユニットを示す斜視図である。図２は、天井埋込型室内ユニットの底面図である。図３は、天井埋込型室内ユニットの化粧パネルを外した状態を示す底面図である。図４は、天井埋込型室内ユニットの縦断面図である。
【００１５】
天井埋込型室内ユニット１００は、天井に設置され下面が開口された箱型の筐体１と、筐体１の下側開口を覆う化粧パネル１３とを備えている。
図４に示すように、筐体１の内部には、遠心送風機３が収納されており、筐体１の内側には、遠心送風機３を囲むように、略Ｕの字型の熱交換器５が配置されている。
熱交換器５の開放部分には、開放部分を閉塞する仕切板（図示せず）が設けられ、仕切板は熱交換器５の内側に向かって突出する山形に形成されている。
【００１６】
図４に示すように、筐体１の下面の開口には、発砲スチロール製の断熱材からなるドレンパン７が嵌め込まれている。ドレンパン７の上面には、熱交換器５の形状に対応させて、平面視では、略Ｕ字状となる凹所７Ａが形成され、凹所７Ａには熱交換器５が設置される。
図３に示すように、ドレンパン７の両側部には、筐体１の長手方向に沿って延在する長方形の吐出口８、９が形成されている。ドレンパン７の略中央には、円形の中央開口１０が設けられ、中央開口１０には、遠心送風機３の樹脂製のベルマウス１１が配置されている。
【００１７】
図３に示すように、ドレンパン７の下面側には、電装箱２１と、センターパネル１７の昇降装置３１とが設置されている。
電装箱２１は、ベルマウス１１を挟んで、筐体１の長手方向の一側に配置され、昇降装置３１は、筐体１の長手方向の他側に配置される。昇降装置３１は、ドレンパン７から浮いた状態で固定され、ドレンパン７と昇降装置３１との間には、通風路が確保される。
電装箱２１には、図示しないが、各部を中枢的に制御する制御部が収納される。制御部は、演算実行部としてのＣＰＵ、このＣＰＵによって実行可能な基本制御プログラムや、所定のデータなどを記憶するＲＯＭ、ＲＡＭなどのメモリ、その他の周辺回路などを備えている。
【００１８】
昇降装置３１は、図１に示すように、４本の吊り紐２２を介して、センターパネル１７を昇降させるためのものである。昇降装置３１により、センターパネル１７は、化粧パネル１３から昇降自在に吊り下げられる。
吸込みフィルタ１８の清掃時には、センターパネル１７を適宜の位置に降下させ、センターパネル１７から吸込みフィルタ１８を取り外して清掃することができる。
【００１９】
ドレンパン７の下方には、図２に示すように、化粧パネル１３が配置されている。
化粧パネル１３の中央には、矩形状の大きな開口１３Ａが形成されている。この開口１３Ａには、板金製のセンターパネル１７が配置されている。センターパネル１７の上面には、図１および図２に示すように、吸込みフィルタ１８が取り付けられている。吸込みフィルタ１８の周辺部は、ドレンパン７のシール面（図示せず）に当接される。
化粧パネル１３には、ドレンパン７の吐出口８、９に対応させて、一対の長方形のパネル側吹出口１４、１５が形成されている。パネル側吹出口１４、１５には、空気の吹き出し方向を調整可能な風向変更羽根１６が揺動自在に設けられている。
室内空気は、遠心送風機３によって開口１３Ａから吸い込まれ、熱交換器５を通過して熱交換され、パネル側吹出口１４、１５から空調後の空気が室内へと送られる。
本実施形態の天井埋込型室内ユニット１００は、一対のパネル側吐出口８、９を備えた、所謂、二方向カセット型の天井埋込型室内ユニット１００である。
【００２０】
図５は、ドレンパン７の一部の断面図である。図６は、ドレンパン７の一部の斜視図である。
ドレンパン７には、ドレンパン７の外周部に沿って１周するドレン水通路４０が形成されている。ドレン水通路４０は、熱交換器５の外周側下方に位置している。
ドレン水通路４０は、平面視では、熱交換器５の下面に沿う四角形状に形成されている。ドレン水通路４０は、その４つの角部の内の１か所が、最も高くなるように形成されており、その角部の対角線に当たる角部が最も低くなるように形成されている。
これにより、熱交換器５から滴下するドレンは、ドレン水通路４０を流れ、最も低い角部に貯留するように構成されている。
【００２１】
図５に示すように、筐体１には、ドレン水通路４０の最も低い位置に対応する箇所に、ドレン水を排出するドレンポンプ４１が配置されている。また、ドレンポンプ４１の近傍には、ドレン水通路４０に貯留されたドレンが所定の水位になったか否かを検出するフロートスイッチ４２が配置されている。そして、ドレンが所定の水位になったことをフロートスイッチ４２が検出した場合に、ドレンポンプ４１を駆動してドレンの排出するように構成されている。
【００２２】
ドレン水通路４０の最も低い位置の底面には、ドレンパン７を貫通する排水口４３が設けられている。排水口４３には、樹脂製の排水部材５０が取り付けられている。排水部材５０は、ドレンパン７を排水口４３に挿入される管部５１と、ドレンパン７の上面に位置し管部５１と一体に形成された支持板５２と、支持板５２の先端部から上方に延在する支持ピン５３と、を備えている。
支持ピン５３の上端部には、枠状の保持部材５４がねじ５５により着脱自在に取り付けられている。保持部材５４には、抗菌剤である銀イオンが収納された袋状の収納部材５６が挟み込まれて保持されている。これにより、収納部材５６は、ドレンパン７の上面から所定距離だけ離れた位置に保持することができるように構成されている。
なお、ドレンポンプ４１を動作させてドレンを排出した後、ドレンポンプ４１を停止させると、所定量のドレンがドレンパン７に戻る戻り水が発生する。そのため、収納部材５６のドレンパン７の上面からの所定距離は、ドレンの戻り水が発生した際に、戻り水に収納部材５６の抗菌剤が接触する程度の距離に設定されている。
また、排水部材５０の管部５１には、蓋部材５７が取り付けられており、排水口４３を閉塞している。
【００２３】
また、ドレンパン７の排水部材５０より中央側には、段状に形成され、収納部材５６の後端部を支持する支持部５７が形成されている。これにより、収納部材５６は、支持部５８により後端部が支持され、収納部材５６の位置決めを行うことができる。また、ドレンパン７の排水口４３部分には、ドレンポンプ４１が配置され、ドレンポンプ４１より筐体１の外側にフロートスイッチ４２が配置されるので、収納部材５６を排水口４３より筐体１の中央側に配置することにより、ドレンポンプ４１およびフロートスイッチ４２との干渉を防止することができる。
【００２４】
次に、本実施形態の作用について説明する。
本実施形態においては、遠心送風機３を動作させると、図４に矢印で示すように、室内空気が、化粧パネル１３の開口１３Ａと、センターパネル１７との隙間を通り、さらに吸込みフィルタ１８を通って、ドレンパン７の下面の凹所に入る。そして、遠心送風機３のベルマウス１１を通り、熱交換器５の一次側の空間に吸い込まれる。一次側の空間に入った空気は、遠心送風機３により遠心力を与えられ、外方に向かい、熱交換器５で熱交換した後、二次側の空間に入り、矢印で示すように、空間を下方に流れ、吐出口８、９を経て、パネル側吹出口１４、１５から室内に吹き出される。
【００２５】
また、熱交換器５から滴下したドレンは、ドレンパン７のドレン水通路４０を通って最も低い位置の角部に流れて、貯留される。そして、フロートスイッチ４２により、ドレンが所定の水位になったことを検出したら、ドレンポンプ４１を動作させてドレンを排出する。
このとき、抗菌剤の収納部材５６を支持ピン５３の上端部に取り付けられた保持部材５４により保持しているので、ドレン水通路４０に所定量のドレンが貯留されるまで、ドレンと収納部材５６とが接触しない。すなわち、ドレンポンプ４１が動作しており、ドレンを排出している間は、収納部材５６による抗菌処理が行われず、ドレン水通路４０に所定量のドレンが貯留された場合に抗菌処理が行われることになり、効率のよい抗菌処理を行うことが可能となる。
また、収納部材５６を支持ピン５３に対してねじにより着脱自在に取り付けているので構造が簡単であり、収納部材５６をドレン水通路４０から離れた位置に取り付けているので、メンテナンス作業のスペースを確保することができ、メンテナンス作業を容易に行うことができる。
【００２６】
以上説明したように、本実施形態においては、筐体１の内部に収容される熱交換器５と、熱交換器５で生成されたドレン水が貯留されるドレンパン７とを備え、排水口４３は、ドレンパン７の角部に位置し、排水口４３には、排水部材５０が設けられ、排水部材５０には、抗菌剤の収納部材５６をドレンパン７の上面から所定間隔をもって保持する保持部材５４が一体に取り付けられている。
これによれば、排水口４３に設けられた排水部材５０により、収納部材５６を保持する保持部材５４を取り付けるようにしているので、収納部材５６をドレンパン７の上面から所定距離をもって保持することができる。その結果、ドレンポンプ４１によりドレンを排出している間は、収納部材５６による抗菌処理が行われず、所定量のドレンが貯留された場合に抗菌処理が行われることになり、効率のよい抗菌処理を行うことが可能となる。また、保持部材５４を排水部材５０と一体に形成したので、部品点数を低減させることができ、さらに、保持部材５４を排水部材５０を介してドレンパン７に取り付けるので、ドレンポンプ４１の振動が伝達されることがなく、騒音の防止を図ることができる。
【００２７】
また、本実施形態においては、排水部材５０は、ドレンパン７の上面に配置される支持板５２と、支持板５２の先端部に上方に延在する支持ピン５３とを備え、保持部材５４は、支持ピン５３の上端部に取り付けられている。
これによれば、抗菌剤の収納部材５６を支持ピン５３の上端部に取り付けられた保持部材５４により保持しているので、ドレン水通路４０に所定量のドレンが貯留されるまで、ドレンと収納部材５６とが接触せず、効率のよい抗菌処理を行うことが可能となる。また、収納部材５６を支持ピン５３に取り付けているので構造が簡単であり、収納部材５６をドレン水通路４０から離れた位置に取り付けているので、メンテナンス作業のスペースを確保することができ、メンテナンス作業を容易に行うことができる。
【００２８】
また、本実施形態においては、ドレンパン７には、保持部材５４に保持された収納部材５６の一部を支持する支持部５８が形成されている。
これによれば、収納部材５６は、支持部５８により後端部が支持され、収納部材５６の位置決めを行うことができる。
【００２９】
また、本実施形態においては、支持ピン５３は、排水口４３に対して筐体１の中央側に配置されている。
これによれば、収納部材５６がドレンポンプ４１およびフロートスイッチ４２と干渉してしまうことを防止することができる。
【００３０】
なお、実施形態に基づいて本発明を説明したが、本発明は本実施形態に限定されるものではない。あくまでも本発明の一実施態様を例示するものであるから、本発明の趣旨を逸脱しない範囲で任意に変更、および応用が可能である。
【産業上の利用可能性】
【００３１】
以上のように、本発明に係る天井埋込型室内ユニットは、収納部材をドレンパンの上面から所定距離をもって保持することができ、効率のよい抗菌処理を行うことが可能となる。また、部品点数を低減させることができ、騒音の防止を図ることができる天井埋込型室内ユニットとして好適に利用可能である。
【符号の説明】
【００３２】
１  筐体
３  遠心送風機
５  熱交換器
７  ドレンパン
１３  化粧パネル
１６  風向変更羽根
１７  センターパネル
１８  送風機
３１  昇降装置
４０  ドレン水通路
４１  ドレンポンプ
４２  フロートスイッチ
４３  排水口
５０  排水部材
５１  管部
５２  支持板
５３  支持ピン
５４  保持部材
５６  収納部材
５７  蓋部材
５８  支持部
１００  天井埋込型室内ユニット
【図１】
2019148354.tif 000003
【図２】
2019148354.tif 000004
【図３】
2019148354.tif 000005
【図４】
2019148354.tif 000006
【図５】
2019148354.tif 000007
【図６】
2019148354.tif 000008